(57)【要約】【課題】カバンなどの携帯可能な収納用具に固定できるハンガー掛けを提供する。【解決手段】ハンガー掛け１は、ハンガー掛け用アーム１０（ハンガー掛け部分）、このハンガー掛け用アーム１０を支持する支柱１２（支柱部分）、および、この支柱１２を支持する支柱固定部１４（支持部分）から構成される。支柱固定部１４は、この支柱固定部１４全体を支持する支持脚１４０，１４２、下板１４４（第１の固定部材）、上板１４６（第２の固定部材）、および接合部１４８（支持部材）から構成される。接合部１４８は、下板１４４と上板１４６とをボルト締めするようになっており、これら下板１４４と上板１４６との間に棒状部材３０−１，３０−２を挟み込むことによって、支柱固定部１４は、取手２２に固定される。【選択図】図１
0003141396.tif 000002
【実用新案登録請求の範囲】
【請求項１】
垂直方向に立てられる支柱部分と、
前記支柱部分に水平方向に取り付けられて支持され、ハンガーが掛けられるハンガー掛け部分と、
運搬可能な収納用具に取り付けられて、前記支柱部分を垂直方向に支持する支持部分と
を有する
ハンガー掛け。
【請求項２】
前記ハンガー掛け部分と、前記支柱部分と、前記支持部分とは、相互に分離可能であって、
前記支柱部分は、伸縮可能に構成され、
前記支持部分は、複数の部材に分解可能に構成され、
前記ハンガー掛け部分と、前記縮められた状態の支柱部分と、前記分解された支持部分の複数の部材とは、分離された状態で前記収納用具に収納可能である
請求項１に記載のハンガー掛け。
【請求項３】
前記収納用具は、棒状部材から構成される運搬用ハンドルを用いて運搬され、
前記収納用具の運搬用ハンドルは、
少なくとも２本の前記棒状部材
を有し、
前記支持部分は、
前記２本の棒状部材の下側に、これら２本の棒状部材と交差する方向に配設される第１の固定部材と、
前記２本の棒状部材の上側の前記第１の固定部材に対向する位置に、これら２本の棒状部材と交差する方向に配設される第２の固定部材と、
前記２本の棒状部材に対して配設された第１の固定部材と第２の固定部材とを、前記２本の棒状部材の間の位置で貫通し、これらの固定部材で、前記２本の棒状部材を挟み込ませることにより、前記２本の棒状部材に、これらの固定部材を固定させ、前記支柱部分を垂直方向に支持する支持部材と
を有する
請求項１または２に記載のハンガー掛け。
【考案の詳細な説明】
【技術分野】
【０００１】
本考案は、スーツケース・カバンなどの収納用具に固定されて利用されるハンガー掛けに関する。
【背景技術】
【０００２】
たとえば、特許文献１は、回動自在にかつ所定の角度で係止されるように設けられたアームを有するハンガー掛けを開示する。
また、たとえば、特許文献２は、バッグの取手に引っ掛けるフックを有する携帯用ハンガーを開示する。
【特許文献１】特開平７−１１６０５１号公報
【特許文献２】実用新案登録第３１００１４８号公報
【考案の開示】
【考案が解決しようとする課題】
【０００３】
本考案は、上述した背景からなされたものであって、スーツケース・カバンなどの携帯可能な収納用具に固定して利用できるように改良されたハンガー掛けを提供することを目的とする。
【課題を解決するための手段】
【０００４】
上記目的を達成するために、本願考案にかかるハンガー掛けは、垂直方向に立てられる支柱部分と、前記支柱部分に水平方向に取り付けられて支持され、ハンガーが掛けられるハンガー掛け部分と、運搬可能な収納用具に取り付けられて、前記支柱部分を垂直方向に支持する支持部分とを有する。
【０００５】
好適には、前記ハンガー掛け部分と、前記支柱部分と、前記支持部分とは、相互に分離可能であって、前記支柱部分は、伸縮可能に構成され、前記支持部分は、複数の部材に分解可能に構成され、前記ハンガー掛け部分と、前記縮められた状態の支柱部分と、前記分解された支持部分の複数の部材とは、分離された状態で前記収納用具に収納可能である。
【０００６】
好適には、前記収納用具は、棒状部材から構成される運搬用ハンドルを用いて運搬され、前記収納用具の運搬用ハンドルは、少なくとも２本の前記棒状部材を有し、前記支持部分は、前記２本の棒状部材の下側に、これら２本の棒状部材と交差する方向に配設される第１の固定部材と、前記２本の棒状部材の上側の前記第１の固定部材に対向する位置に、これら２本の棒状部材と交差する方向に配設される第２の固定部材と、前記２本の棒状部材に対して配設された第１の固定部材と第２の固定部材とを、前記２本の棒状部材の間の位置で貫通し、これらの固定部材で、前記２本の棒状部材を挟み込ませることにより、前記２本の棒状部材に、これらの固定部材を固定させ、前記支柱部分を垂直方向に支持する支持部材とを有する。
【０００７】
なお、本願考案の構成部分の定義には、垂直、水平、平行および直交などの用語が用いられているが、これらは、実質的な垂直、水平、平行および直交を意味し、厳密な垂直、水平、平行および直交に対して、実用的な所定の範囲を含む。
従って、本願考案と同じ構成を有し、これらの構成が、垂直、水平、平行および直交から多少の範囲ずれて組み合わされている製品は、本願考案の技術的範囲に含まれる。
【考案の効果】
【０００８】
本考案にかかるハンガー掛けは、スーツケース・カバンなどの携帯可能な収納用具に固定して利用できる。
【考案を実施するための最良の形態】
【０００９】
図１は、本願考案の実施形態にかかるハンガー掛け１がスーツケース２に固定されている状態を示す図である。
図１に示すように、ハンガー掛け１は、ハンガー掛け用アーム１０（ハンガー掛け部分）、このハンガー掛け用アーム１０を支持する支柱１２（支柱部分）、および、この支柱１２を支持する支柱固定部１４（支持部分）から構成される。
また、スーツケース２は、衣服などが収納されるスーツケース本体２０（収納用具）、伸縮可能な２本の平行な棒状部材３０−１，３０−２を介してスーツケース本体２０に取り付けられ、スーツケース２を持ち運ぶときに使用される取手２２（運搬用ハンドル）、蓋２８、および、この蓋２８の開放時に蓋２８を所定の位置に支持するチェーン２４を有する。
ハンガー掛け１は、支柱固定部１４によってスーツケース２の取手２０の棒状部材３０−１，３０−２に固定されるようになっている。
また、蓋２８の内側には鏡２６が設けられており、チェーン２４の長さを調整することによって、使用者は自分の姿をその鏡２６に映し出すことができる。
【００１０】
ハンガー掛け用アーム１０は、衣服を掛けるハンガー（図７を参照）を引っ掛けるための溝１０２ａ，１０２ｂ，１０２ｃ，１０２ｄ（以下、いずれかを特定せずに示すときには「溝１０２」とも記す）を有する。
なお、図１においては、溝１０２が、ハンガー掛けアーム１０に４つ形成される場合が具体例とされているが、溝１０２は、ハンガー掛けアーム１０４にいくつ形成されてもよい。
また、ハンガー掛け用アーム１０は、回動部１０４ａ，１０４ｂを有しており、この回動部１０４ａ，１０４ｂを中心に矢印Ａ，Ｂ方向（図１）に回動するようになっている。
また、回動部１０４ａ，１０４ｂは、ハンガー掛け用アーム１０を所定の角度で係止できるようになっており、ハンガーを掛けない場合には、ハンガー掛け用アーム１０を折り畳むことが可能である。
【００１１】
支柱固定部１４は、この支柱固定部１４全体を支持する支持脚１４０，１４２、下板１４４（第１の固定部材）、上板１４６（第２の固定部材）、および接合部１４８（支持部材）から構成される。
接合部１４８は、図３を用いて後述するように、下板１４４と上板１４６とをボルト締めするようになっており、これら下板１４４と上板１４６との間に棒状部材３０−１，３０−２を挟み込むことによって、支柱固定部１４は、取手２２に固定される。
なお、接合部１４８および上板１４６は、一体として形成されてもよい。
【００１２】
以下、ハンガー掛け１をスーツケース２の取手２２に固定する方法を説明する。
図２および図３は、支柱固定部１４を組み立てる方法を示す第１および第２の図である。
図２は支持脚１４０，１４２と下板１４４とを組み立てる方法を示す。
支持脚１４０には、下板１４４を挿入するための挿入穴１４０ａが設けられている。
同様に、支持脚１４２には、下板１４４を挿入するための挿入穴１４２ａが設けられている。
下板１４４は、支持脚１４０，１４２を、それぞれ、矢印Ｃ，Ｄ（図２）のように移動させることによって、挿入穴１４０ａ，１４０ｂに嵌合される。
なお、下板１４４は、棒状部材３０−１，３０−２の間隔よりも充分長く形成されており、したがって、支持脚１４０，１４２は、下板１４４が挿入された状態であっても、取手２２と干渉しない。
【００１３】
また、支持脚１４０には、たとえばゴム等で形成された２個の足部１４０ｂが設けられている。
同様に、支持脚１４２にも、２個の足部１４２ｂが設けられている。
この足部１４０ｂ，１４２ｂが、スーツケース２が置かれる床面あるいは地面に接するようになっている。
なお、この足部１４０ｂ，１４２ｂの数は、支柱固定部１４が床面あるいは地面に対して不安定でなければ、いくつでもよい。
【００１４】
図３は、支柱固定部１４を組み立てることによって支柱固定部１４を取手２２に固定する方法を示す図であり、（Ａ）は下板１４４と上板１４６とが接合部１４８によってボルト締めされる前の状態を示し、（Ｂ）は下板１４４と上板１４６とがボルト締めされた状態を示す。
下板１４４および上板１４６の中央付近には、それぞれ、穴１４４ａおよび穴１４６ａが設けられている。
図３（Ａ）に示すように、上から上板１４６、取手２２、下板１４４の順に配置し、上から接合部１４８のおねじ部１４８ａを、棒状部材３０−１，３０−２の間で、穴１４４ａおよび穴１４６ａに貫通させる。
さらに、下からナット１５０によって締め付けることによって、図３（Ｂ）に示すように、下板１４４と上板１４６との間に棒状部材３０−１，３０−２が挟み込まれ、支柱固定部１４と取手２２とが固定される。
【００１５】
図４は、支柱１２を支柱固定部１４に固定する方法を示す図である。
接合部１４８の上端には、めねじ部１４８ｂが設けられている。
また、支柱１２の下端には、このめねじ部１４８ｂのねじと対応するおねじ部１２０ａが設けられており、このおねじ部１２０ａがめねじ部１４８ｂに螺合することによって、支柱１２が支柱固定部１４に固定される。
また、図４に示すように、支柱１２は、筒１２２ａ，１２２ｂおよび棒１２２ｃが入れ子状になっており、これら筒１２２ａ，１２２ｂおよび棒１２２ｃを適当な位置で固定することによって、支柱１２の長さを調整することが可能である。
また、支柱１２の筒１２２ｂおよび棒１２２ｃは、支柱１２の中心軸を中心に回転自在に形成されている。
【００１６】
図５は、ハンガー掛け用アーム１０を支柱１２に固定する方法を示す図である。
図５に示すように、支柱１２の上端にはめねじ部１２０ｂが設けられている。
また、ハンガー掛け用アーム１０の下側には、このめねじ部１２０ｂのねじと対応するおねじ部１００ａが設けられており、このおねじ部１００ａがめねじ部１２０ｂに螺合することによって、ハンガー掛け用アーム１０が支柱１２に固定される。
さらに、上述したように支柱１２を回転させて、ハンガー掛け用アーム１０の長手方向が取手２２の長手方向と平行になるようにすることによって、ハンガー掛け用アーム１０に衣服を掛けた場合に、ハンガー掛け１が転倒することをさらに防止できる。
なお、ハンガー掛け１は、図２〜図５に示した手順を逆に行うことによって、分解することが可能である。
【００１７】
図６は、ハンガー掛け１を構成する部材一式を収納する収納袋３を示す図である。
分解されたハンガー掛け１の部材一式は、１つの収納袋３に収納され、この収納袋３はスーツケース本体２０に収納することが可能である。
したがって、衣服をスーツケース２に収納して移動する際に、この収納袋３もスーツケース２に収納することによって、任意の場所にハンガー掛け１を携帯することができ、さらに、任意の場所でハンガー掛け１をスーツケース２に固定することができる。
【００１８】
図７は、支柱固定部１６をスーツケース本体２０に備え付けた例を示す図である。
図７に示すように、支柱固定部１６がスーツケース本体２０の内側の隅に設けられている。
支柱固定部１６の上部にはめねじ部１６０ａが設けられており、上述した接合部１４８のおねじ部１４８ａがこのめねじ部１６０ａに螺合するようになっている。
また、支柱固定部１６は、衣服が掛けられたハンガー掛け１を支持するために必要な剛性を有している。
なお、図７において、支柱固定部１６は、スーツケース本体２０の内側に設けられたとしたが、外側に設けられるようにしてもよい。
【産業上の利用可能性】
【００１９】
本考案は、カバンなどの携帯可能な収納用具に固定できるハンガー掛けなどに利用可能である。
【図面の簡単な説明】
【００２０】
【図１】本願考案の実施形態にかかるハンガー掛けがスーツケースに固定されている状態を示す図である。
【図２】支持脚と下板とを組み立てる方法を示す第１の図である。
【図３】支持脚と下板とを組み立てる方法を示す第２の図である。
【図４】支柱を支柱固定部に固定する方法を示す図である。
【図５】ハンガー掛け用アームを支柱に固定する方法を示す図である。
【図６】ハンガー掛けを構成する部材一式を収納する収納袋を示す図である。
【図７】支柱固定部をスーツケース本体に備え付けた例を示す図である。
【符号の説明】
【００２１】
１・・・ハンガー掛け，
１０・・・ハンガー掛け用アーム，
１００ａ・・・おねじ部，
１０２ａ，１０２ｂ，１０２ｃ，１０２ｄ・・・溝，
１０４ａ，１０４ｂ・・・回動部，
１２・・・支柱，
１２０ａ・・・おねじ部，
１２０ｂ・・・めねじ部，
１２２ａ，１２２ｂ・・・筒，
１２２ｃ・・・棒，
１４・・・支柱固定部，
１４０，１４２・・・支持脚，
１４０ａ，１４０ｂ・・・挿入穴，
１４０ｂ，１４２ｂ・・・足部，
１４４・・・下板，
１４４ａ・・・穴，
１４６・・・上板，
１４６ａ・・・穴，
１４８・・・接合部，
１４８ａ・・・おねじ部，
１４８ｂ・・・めねじ部，
１５０・・・ナット，
１６・・・支柱固定部，
１６０ａ・・・めねじ部，
２・・・スーツケース，
２０・・・スーツケース本体，
２２・・・取手，
２４・・・チェーン，
２６・・・鏡，
２８・・・蓋，
３０・・・棒状部材，
３・・・収納袋，
【図１】
0003141396.tif 000003
【図２】
0003141396.tif 000004
【図３】
0003141396.tif 000005
【図４】
0003141396.tif 000006
【図５】
0003141396.tif 000007
【図６】
0003141396.tif 000008
【図７】
0003141396.tif 000009